(57)【特許請求の範囲】
【請求項１】
第１の方向と、該第１の方向と直交する第２の方向とを有する紙製の四方差しパレットであって、
該第１の方向に延びる複数の第１の底板と、
該第２の方向に延び、該第１の底板に接着された複数の第２の底板と、
該第１の底板と該第２の底板とが交わる部分において、該第２の底板に接着された複数の脚部と、
該複数の脚部に接着された上板と
を備え、該第１の底板の厚さは該第２の底板の厚さよりも大きい、パレット。
【請求項２】
前記第１の底板には防水加工されており、前記第２の底板には防水加工されていない、請求項１に記載のパレット。
【請求項３】
前記第１の方向が前記四方差しパレットの長手方向であり、前記第２の方向が該四方差しパレットの短手方向である請求項１〜２のいずれか１項に記載のパレット。
【請求項４】
前記第１の底板の坪量は前記第２の底板の坪量よりも大きい請求項１〜３のいずれか１項に記載のパレット。
【請求項５】
第１の方向と、該第１の方向と直交する第２の方向とを有する紙製の四方差しパレットの製造方法であって、該パレットは、
該第１の方向に延びる複数の第１の底板と、
該第２の方向に延び、該第１の底板に接着された複数の第２の底板と、
該第１の底板と該第２の底板とが交わる部分において、該第２の底板に接着された複数の脚部と、
該複数の脚部に接着された上板と
を備え、該第１の底板の厚さは該第２の底板の厚さよりも大きく、該製造方法は、
該上板に該複数の脚部を接着する工程、
該複数の脚部に該第２の底板を接着する工程、および
該第２の底板に該第１の底板を接着する工程
を包含する製造方法。
【請求項６】
前記第１の底板には防水加工されており、前記第２の底板には防水加工されていない、請求項５に記載の製造方法。
【請求項７】
前記第１の方向が前記四方差しパレットの長手方向であり、前記第２の方向が該四方差しパレットの短手方向である請求項５〜６のいずれか１項に記載の製造方法。
【請求項８】
前記第２の底板よりも大きな坪量を有する底板を、前記第１の底板として選択する工程を包含する請求項５〜７のいずれか１項に記載の製造方法。
【請求項９】
前記脚部は脚部構成部材を切断することにより形成され、該脚部と前記上板または前記第２の底板との接着が、
該脚部構成部材を切断して得られる切断面の繊維密度が切断前の該脚部構成部材の繊維密度より小さく、かつ該脚部構成部材の該切断面が該脚部構成部材の切断前の仮想の対応面よりも大きくなるように、該脚部構成部材を切断して、該切断面を有する脚部を得ることと、
該脚部の該切断面と該上板または該第２の底板とを接着剤を介して接着させることと
を含む請求項５〜８のいずれか１項に記載の製造方法。
【請求項１０】
前記脚部構成部材の切断に用いる切断刃は刃先が楔形を形成し、該脚部構成部材の切断は該刃先が前進しつつ切断駆動することで達成される請求項９に記載の製造方法。
【請求項１１】
前記切断刃が前記脚部構成部材を前記刃先の両側へ押し拡げながら、該脚部構成部材を切断する請求項１０に記載の製造方法。
【発明の詳細な説明】
【技術分野】
【０００１】
本発明は、物品の運搬または保管に使用される紙製パレットおよびその製造方法に関する。より具体的には、本発明は、紙製の四方差しパレットおよびその製造方法に関する。
【背景技術】
【０００２】
従来より、貨物積載用に木製のパレットやプラスチック製のパレットが使用されてきた。しかしながら、それらの木製パレットやプラスチック製パレットはリサイクルが難しく、廃棄処理が容易ではない。したがって、パレットに積載された貨物が輸送された場合、輸送先では不要なパレットを廃棄するのにコストがかかり、場合によってはパレットを返送することすらある。
【０００３】
そこで、木やプラスチックと比較して廃棄またはリサイクルが極めて容易であり、かつ安価な紙製パレットが提案されてきた。紙製パレットは、リサイクル処理または焼却処理によって、木やプラスチックと比較して容易に廃棄処理することができる。紙製パレットはまた、再生紙を用いて安価に製造することができる。
【０００４】
紙製パレットとしては、特許文献１に示すような四方差しパレットが公知である。特許文献１は、上板と、フォークリフトのアームを差し込む空間を形成するための脚部と、脚部を補強する下板とから構成される四方差しパレットを開示している。しかしながら、特許文献１のような下板を備えるパレットでは、アームの先端付近下部に車輪が付いたハンドリフトによって運搬することができない。ハンドリフトのアーム下部の車輪を下方に突出させるための空間が下板に存在しないからである。
【０００５】
そこで、特許文献２は、下板に、ハンドリフトのアーム下部に設けられている車輪を下方に突出させるための開口部を形成したパレットを開示している。このように、フォークリフトおよびハンドリフトで使用することができる従来の紙製の四方差しパレットは、上板とほぼ同じサイズの下板に、開口部が形成されていることを特徴としている（図１Ｂを参照のこと）。
【先行技術文献】
【特許文献】
【０００６】
【特許文献１】特開平７−１７５４３号公報
【特許文献２】特開２００２−３７０７３９号公報
【発明の概要】
【発明が解決しようとする課題】
【０００７】
上記のようにパレットの下板に開口部を形成するためには、複雑な装置および処理が必要であり、コスト増加につながっていた。また、開口部として下板から切り抜く部分は小さく、切り抜かれた紙は他への転用ができるサイズではないため、廃棄またはリサイクルするしかなく、無駄が多かった。
【課題を解決するための手段】
【０００８】
本願発明者らは、上記の課題に鑑みて鋭意研究を重ねた結果、四方差しパレットの脚部補強用下板にハンドリフトの車輪を突出させるために開口部を形成するために、下板として細長い紙片を縦方向および横方向にそれぞれ複数配列し、接着することによって、開口部が形成された脚部補強用下板を形成することができることを発見し、本発明を完成させた。本発明のパレット下板は、パレットの縦方向の複数の細長い紙片と横方向の複数の細長い紙片とを直交するように交差させることによって形成され、隣接する２本の縦方向の細長い紙片と、それと直交隣接する２本の横方向の細長い紙片とによって、略矩形または正方形の開口部が形成される。
【０００９】
本発明のパレットは、パレットの縦方向の複数の細長い紙片と横方向の複数の細長い紙片とを直交するように交差させて下板を形成することによって、縦方向または横方向のいずれかの方向にしか細長い紙片を有さない下板のパレットと比較して、脚部の剥がれに対する強度が向上する。紙製パレットにおいては、部分的（複数の脚部のうちの１つまたは少数）に力がかかると脚部が剥がれてしまうという問題点があった。本発明のパレットのように縦方向の複数の細長い紙片と横方向の複数の細長い紙片とを直交するように交差させて下板を形成することによって、この問題点も解決することができた。
【００１０】
本発明のパレットは、第１の方向と、該第１の方向と直交する第２の方向とを有する紙製の四方差しパレットであって、該第１の方向に延びる複数の第１の底板と、該第２の方向に延び、該第１の底板に接着された複数の第２の底板と、該第１の底板と該第２の底板とが交わる部分において、該第２の底板に接着された複数の脚部と、該複数の脚部に接着された上板とを備えている。
【００１１】
本発明の１つの実施形態では、前記第１の底板の厚さは前記第２の底板の厚さよりも大きいように構成されている。
【００１２】
本発明の１つの実施形態では、前記第１の方向が前記四方差しパレットの長手方向であり、前記第２の方向が該四方差しパレットの短手方向であるように構成されている。
【００１３】
本発明の１つの実施形態では、前記第１の底板の坪量は前記第２の底板の坪量よりも大きいように構成されていている。
【００１４】
本発明の１つの実施形態では、前記第１の底板は防水加工された紙製であるように構成されていている。
【００１５】
本発明のパレットの製造方法は、第１の方向と、該第１の方向と直交する第２の方向とを有する紙製の四方差しパレットの製造方法であって、該パレットは、該第１の方向に延びる複数の第１の底板と、該第２の方向に延び、該第１の底板に接着された複数の第２の底板と、該第１の底板と該第２の底板とが交わる部分において、該第２の底板に接着された複数の脚部と、該複数の脚部に接着された上板とを備え、該製造方法は、該上板に該複数の脚部を接着する工程、該複数の脚部に該第２の底板を接着する工程、および該第２の底板に該第１の底板を接着する工程を包含している。
【００１６】
本発明の１つの実施形態では、前記第２の底板よりも厚い底板を、前記第１の底板として選択する工程を包含している。
【００１７】
本発明の１つの実施形態では、前記第１の方向が前記四方差しパレットの長手方向であり、前記第２の方向が該四方差しパレットの短手方向であるように構成されている。
【００１８】
本発明の１つの実施形態では、前記第２の底板よりも大きな坪量を有する底板を、前記第１の底板として選択する工程を包含している。
【００１９】
本発明の１つの実施形態では、前記第１の底板は防水加工された紙製である。
【００２０】
本発明の１つの実施形態では、前記脚部と前記上板または前記第２の底板との接着が、該脚部を切断して得られる切断面の繊維密度が切断前の該脚部の繊維密度より小さく、かつ該脚部の該切断面が該脚部の切断前の仮想の対応面よりも大きくなるように、該脚部を切断することと、該脚部の該切断面と該上板または該第２の底板とを接着剤を介して接着させることとを含んでいる。
【００２１】
本発明の１つの実施形態では、前記脚部の切断に用いる切断刃は刃先が楔形を形成し、該脚部の切断は該刃先が前進しつつ切断駆動することで達成されるように構成されている。
【００２２】
本発明の１つの実施形態では、前記切断刃が前記脚部を前記刃先の両側へ押し拡げながら、該脚部を切断するように構成されている。
【発明の効果】
【００２３】
本発明の四方差しパレットの下板は、細長い紙片を縦方向および横方向に組み合わせることによって形成される。したがって、下板を一枚の紙で形成し、そこに開口部を打ち抜いて形成する従来技術と比べて、本発明よって、紙を無駄にすることなく、かつ複雑な装置および処理を必要とすることなく、従来の四方差しパレットと同等の強度を有する四方差しパレットを製造することが可能になった。本発明の四方差しパレットは、従来技術の四方差しパレットと同等の強度を有するにも拘わらず、低コストで製造することが可能である。
【００２４】
さらに、本発明の四方差しパレットの下板は、縦方向または横方向の一方に延びる複数の細長い紙片が接地面を形成することによって、パレットへの水分吸収を抑制することができる。従来の四方差しパレットにおいては、一枚の紙が下板を形成するため、下板全体が接地面を形成していた。しかしながら、パレットを構成する紙は水分の吸収力が高い。したがって、接地面が濡れていたり湿っている場合には、接地面を形成する下板が水分を吸収し、それによってパレットの強度が損なわれてしまっていた。本発明の下板においては、縦方向または横方向の一方に延びる複数の紙片のみが接地するため、接地面が従来よりも少なくなり、水分の吸収を抑制することができる。また、特に接地面を形成する紙には防水加工を施すことがあるが、この防水加工を施す対象とする紙を、縦方向または横方向の一方に延びる複数の紙片のみに限定することができるため、低コストでのパレット製造が可能である。
【００２５】
加えて、本発明の１つの実施形態においては、本発明のパレット下板を形成する縦方向と横方向の細長い紙片において、接地面を形成する紙片（縦方向または横方向のいずれか一方に延びる紙片）の厚さを厚いものとすることによって、接地面から、接地面を形成しない紙片までの空間を十分に保つことができる。これによって、パレットへの水分の吸収を抑制することができる。さらに、接地面を形成する紙片をパレット長手方向に沿って延びる紙片とし、その紙片の坪量を増加することによって、パレット全体の強度を効率的に向上させることができる。パレットにおいては、フォークリフトやハンドリフト使用時に、長手方向の辺に対してかかる力が大きく、短手方向の辺に対してかかる力は小さい。したがって、パレット全体の強度を向上させるためには、特に長手方向の辺を補強することが必要である。下板を一枚の紙から形成する従来技術においては、パレット全体の強度を向上させるためには下板全体の坪量を増加させる必要があったが、本発明においては、長手方向に沿って延びる紙片のみの坪量を増加させればよいので、コスト低下につながる。
【００２６】
本発明のパレットは、パレットの縦方向の細長い紙片と横方向の複数の細長い紙片とを直交するように交差させて下板を形成することによって、縦方向または横方向のいずれかの方向にしか細長い紙片を有さない下板のパレットと比較して、脚部の剥がれに対する強度が向上する。紙製パレットにおいては、部分的（複数の脚部のうちの１つまたは少数）に力がかかると脚部が剥がれてしまうという問題点があった。本発明のパレットのように縦方向の複数の細長い紙片と横方向の複数の細長い紙片とを直交するように交差させ下板を形成することによって、この問題点も解決することができた。
【図面の簡単な説明】
【００２７】
【図１Ａ】図１Ａは、本発明の四方差しパレットの底面側斜視図である。
【図１Ｂ】図１Ｂは、本発明の四方差しパレットの底面図である。
【図１Ｃ】図１Ｃは、本発明の四方差しパレットの、底面側を上側にした正面図である。
【図１Ｄ】図１Ｄは、本発明の四方差しパレットの、底面側を上側にした側面図である。
【図２Ａ】図２Ａは、従来技術の四方差しパレットの底面側斜視図である。
【図２Ｂ】図２Ｂは、従来技術の四方差しパレットの底面図である。
【図２Ｃ】図２Ｃは、従来技術の四方差しパレットの、底面側を上側にした正面図である。
【図２Ｄ】図２Ｄは、従来技術の四方差しパレットの、底面側を上側にした側面図である。
【図３Ａ】図３Ａ〜Ｃは、本発明の四方差しパレットの代表的な製造方法を示す図である。
【図３Ｂ】図３Ａ〜Ｃは、本発明の四方差しパレットの代表的な製造方法を示す図である。
【図３Ｃ】図３Ａ〜Ｃは、本発明の四方差しパレットの代表的な製造方法を示す図である。
【図４Ａ】図４Ａは、本発明の四方差しパレットにおける好ましい上板を示す。
【図４Ｂ】図４Ｂは、好ましい上板の第１の紙層および第３の紙層の一部を取り除いてコアの表面を露出させた状態の斜視図である。
【図４Ｃ】図４Ｃは、好ましい上板の第１の紙層および第３の紙層の一部を取り除いて、ハニカムコアの表面を露出させた状態の斜視図である。
【図５Ａ】図５Ａは、好ましい切断方法による、被切断物である脚部構成部材の外観を示す。
【図５Ｂ】図５Ｂは、好ましい切断方法による、被切断物である脚部構成部材の切断の様子を示す。
【図５Ｃ】図５Ｃは、好ましい切断方法による、被切断物である脚部構成部材の切断後の状態を示す。
【図６Ａ】図６Ａは、好ましい切断方法による、脚部構成部材の切断面と別の紙製の部材（上板または第２の底板）との接着状態を示す。
【図６Ｂ】図６Ｂは、一般的な切断方法による、脚部構成部材の切断面と別の紙製の部材（上板または第２の底板）との接着状態を示す。
【図７Ａ】図７Ａは、好ましい切断方法において用いられ得る切断刃の一例を示す。
【図７Ｂ】図７Ｂは、好ましい切断方法において用いられ得る切断刃の一例を示す。
【図７Ｃ】図７Ｃは、一般的な切断刃の一例を示す側面図である。
【図７Ｄ】図７Ｄは、一般的な切断刃の一例を示す斜視図である。
【図８Ａ】図８Ａは、好ましい切断方法による脚部構成部材の切断を示す模式図である。
【図８Ｂ】図８Ｂは、一般的な切断刃による脚部構成部材の切断を示す模式図である。
【図９Ａ】図９Ａは、好ましい切断方法による、被切断物である脚部構成部材の切断面の様子を示す。
【図９Ｂ】図９Ｂは、一般的な切断刃による被切断物である脚部構成部材の切断面の様子を示す。
【図１０Ａ】図１０Ａは、実施例１および２のパレットの寸法を示す（単位はｍｍである）。
【図１０Ｂ】図１０Ｂは、比較例のパレットの寸法を示す（単位はｍｍである）。
【発明を実施するための形態】
【００２８】
以下に本発明を、必要に応じて、添付の図面を参照して例示の実施例により説明する。本明細書の全体にわたり、単数形の表現は、特に言及しない限り、その複数形の概念をも含むことが理解されるべきである。また、本明細書において使用される用語は、特に言及しない限り、当該分野で通常用いられる意味で用いられることが理解されるべきである。したがって、他に定義されない限り、本明細書中で使用される全ての専門用語および科学技術用語は、本発明の属する分野の当業者によって一般的に理解されるのと同じ意味を有する。矛盾する場合、本明細書（定義を含めて）が優先する。
【００２９】
本発明によれば、第１の方向と、該第１の方向と直交する第２の方向とを有する紙製の四方差しパレットであって、該第１の方向に延びる複数の第１の底板と、該第２の方向に延び、該第１の底板に接着された複数の第２の底板と、該第１の底板と該第２の底板とが交わる部分において、該第２の底板に接着された複数の脚部と、該複数の脚部に接着された上板とを備えるパレットが提供される。
【００３０】
本発明のパレットにおいては、下板が第１の細長い底板と第２の細長い底板とによって形成されるため、下板が一枚の紙によって形成される従来のパレットと比較して、下板の形成において紙の無駄を減らすことができる。また、一枚の紙にハンドリフト車輪用の開口部を打ち抜いて形成する作業には特殊な機器が必要とされ、コストがかかるのに対して、本発明においてはそのような作業の必要がなくなるため、コストを抑制することができる。
【００３１】
本発明のパレットにおいては、第１の底板のみが接地し、第２の底板は接地しない。これによって、パレットの接地面を減らすことができ、パレット本体への接地面からの水分を抑制することができる。本発明の１つの実施形態においては、第１の底板の厚さを厚くすることによって、地面から第２の底板までの空間を十分に確保することができる。
【００３２】
本発明の別の実施形態においてはまた、上記第１の底板の坪量を上記第２の底板よりも大きなものとすることによって、さらにパレット全体の補強を効率的に達成することができる。
【００３３】
本発明のパレットは、パレットの縦方向の複数の細長い紙片と横方向の複数の細長い紙片とを直交するように交差させて下板を形成することによって、縦方向または横方向のいずれかの方向にしか細長い紙片を有さない下板のパレットと比較して、脚部の剥がれに対する強度が向上する。紙製パレットにおいては、部分的（複数の脚部のうちの１つまたは少数）に力がかかると脚部が剥がれてしまうという問題点があった。本発明のパレットのように縦方向の複数の細長い紙片と横方向の複数の細長い紙片とを直交するように交差させて下板を形成することによって、この問題点も解決することができた。
【００３４】
（定義）
本明細書において、「紙」とはその一般的な意味で用いられ、植物の繊維を水中で分散させ、それを薄く、平面上にすきあげて脱水および乾燥させた任意の物質をいう。
【００３５】
本明細書において、「パレット」とは、輸送用または物流用に使用される荷台をいう。
【００３６】
本明細書において、「四方差し」とは、正方形または矩形のパレットにおいて、その四方向全てから、フォークリフトまたはハンドリフトのアームを差し込むことができることをいう。なお、正方形または矩形のパレットにおいて、対向する二方向からしかフォークリフトまたはハンドリフトのアームを差し込むことができないパレットを「二方差し」パレットという。
【００３７】
本明細書において、「坪量」とは、紙の１ｍ２当たりの重量をいう。
【００３８】
本明細書において、紙の「繊維密度」とは、ある体積当たりの繊維量をいう。したがって、ある領域において繊維密度が大きいとは、当該領域においては繊維が密に存在していることを意味し、逆にある領域において繊維密度が小さいとは、当該領域においては繊維がほどけまばらに存在していることを意味する。
【００３９】
本明細書において、「切断面の繊維密度」とは、紙部材の切断によって新たに生じる面とその近傍の、切断によって紙の繊維密度が変化した領域についての繊維密度をいう。切断面の繊維密度は、必ずしも表面だけの繊維密度に限定されない点に留意すべきである。
【００４０】
本明細書において、「切断面の面積」とは、紙部材の切断によって新たに生じた面の面積をいう。
【００４１】
本明細書において、切断面について、切断前の「仮想の対応面」とは、紙部材の切断によって生じた面の位置において、切断前の当該紙部材における仮想の断面をいう。
【００４２】
本明細書において、「略平面」とは完全な平面を意味するのではなく、多少の湾曲を含んでもよい。
【００４３】
本明細書における「約」とは、後に続く数字の±１０％の範囲内をいう。
【００４４】
（好ましい実施形態の説明）
以下に提供される実施形態は、本発明のよりよい理解のために提供されるものであり、本発明の範囲は以下の記載に限定されるべきではない。本明細書中の記載を参酌して、本発明の範囲内で適宜改変を行なうことができることは、当業者に明らかである。
【００４５】
図１Ａは、本発明の四方差しパレット１の底面側斜視図であり、図１Ｂは、その底面図であり、図１Ｃは、その底面側を上側にした正面図であり、そして図１Ｄは、その底面側を上側にした側面図である。図１Ａに示されるように、本発明の四方差しパレットは、底面側から見て、パレットの第１の方向（図１Ａにおいては長手方向）に延びる複数の第１の底板２と、それに直交する第２の方向（図１Ａにおいては短手方向）に延び、第１の底板２に接着された複数の第２の底板３と、第１の底板２と第２の底板３とが交わる領域（図１Ｂの斜線部を参照のこと）内に接着された脚部４と、脚部に接着された上板５とから構成される。隣接する２つの第１の底板２と隣接する２つの第２の底板３との間に、ハンドリフトの車輪を突出させるための開口部６が形成されている。第１の底板２がパレットの接地面を形成する。  
【００４６】
なお、図１Ａおよび図１Ｃにおいては、第２の底板３よりも第１の底板２の方が厚い実施形態のパレットを示したが、本発明はこの実施形態に限定されるものではなく、第１の底板２よりも第２の底板３の方が厚さが大きい実施形態や、第１の底板２と第２の底板３の厚さが同等の実施形態も本発明には包含されることに留意すべきである。また、図１Ａおよび図１Ｃでは、第２の底板３が短手方向に延びるものである実施形態のパレットを示したが、本発明はこの実施形態に限定されるものではなく、第２の底板３は長手方向に延びるものであり、第１の底板２が短手方向に延びるものである実施形態も本発明には包含されることに留意すべきである。
【００４７】
本発明のパレットは紙製であり、好ましくは段ボール製である。
【００４８】
図２Ａは、従来技術の四方差しパレット１０の底面側斜視図であり、図２Ｂは、その底面図であり、図２Ｃは、その底面側を上側にした正面図であり、そして図２Ｄは、その底面側を上側にした側面図である。図２Ａに示されるように、従来技術の四方差しパレット１０は、底面側から見て、底板１３が一枚の紙によって形成され、開口部６はその底板１３を打ち抜くことによって形成される。底板１３に脚部１４が接着され、それにさらに上板１５が接着される。
【００４９】
（第１の底板と第２の底板）
第１の底板２と第２の底板３とはいずれも、細長い矩形上の紙片である。第１の底板２と第２の底板３とは、同じ紙から形成されてもよいし、異なる紙から形成されてもよい。
【００５０】
第１の底板２としては、例えば、約８６ｍｍ〜２００ｍｍ×約７００ｍｍ〜１４００ｍｍの紙片が使用され、代表的には、約８６ｍｍ×約１１１０ｍｍの紙片が使用され得る。第１の底板２のサイズは、パレット全体のサイズおよび強度、使用されるフォークリフトまたはハンドリフトのアームのサイズ、あるいはハンドリフトの車輪の大きさ等に応じて、当業者が適切に決定することができる。
【００５１】
本発明においては、第１の底板２が複数使用される。隣接する第１の底板２同士の距離は、約１８０ｍｍ〜約４００ｍｍであり、代表的には約２５１ｍｍ程度である。
【００５２】
第１の底板２の厚さは、約１ｍｍ〜約６ｍｍであり、好ましくは約２ｍｍ〜約４ｍｍであり、より好ましくは約４ｍｍである。
【００５３】
第２の底板３としては、例えば、約１５０ｍｍ〜２００ｍｍ×約７００ｍｍ〜１１００ｍｍの紙片が使用され、代表的には、約１７０ｍｍ×約７６０ｍｍの紙片が使用され得る。第２の底板３のサイズは、パレット全体のサイズおよび強度、使用されるフォークリフトまたはハンドリフトのアームのサイズ、あるいはハンドリフトの車輪の大きさ等に応じて、当業者が適切に決定することができる。
【００５４】
本発明においては、第２の底板３が複数使用される。隣接する第２の底板３同士の距離は、約１８０ｍｍ〜約４００ｍｍであり、代表的には約２９０ｍｍ程度である。
【００５５】
第２の底板３の厚さは、約１ｍｍ〜約６ｍｍであり、好ましくは約２ｍｍ〜約４ｍｍであり、より好ましくは約２ｍｍである。
【００５６】
第１の底板２および第２の底板３は、約１ｍｍ〜約３ｍｍの一般に流通している厚紙を貼り合わせることによって形成してもよい。
【００５７】
本発明においては、第１の底板２の厚さと第２の底板３の厚さとはどのような関係であってもよい。すなわち、第１の底板２の厚さが第２の底板３の厚さよりも厚いものであってもよいし、第１の底板２の厚さよりも第２の底板３の厚さが厚いものであってもよいし、第１の底板２の厚さと第２の底板３の厚さとが同等であってもよい。
【００５８】
好ましい実施形態においては、第１の底板２は、第２の底板３よりも厚い。代表的な実施形態においては、第１の底板２は約４ｍｍであり、第２の底板３は約２ｍｍである。このように、第１の底板２を第２の底板３よりも厚くすることによって、第１の底板２の接地面から第２の底板３までの高さを確保することができ、第２の底板３からの地面からの水分の吸収を回避することができる。好ましい実施形態において、第１の底板２の厚さは、第２の底板３の厚さの約１．５倍以上であり、より好ましくは約２．０倍以上であり、より好ましくは約２．５倍以上である。第１の底板２の厚さを厚くすることによって、第２の底板３と設置面との間の距離を長くすることができる。それによって、第２の底板３における設置面の水分の吸収を回避することができる。
【００５９】
第１の底板２の坪量は、約６００ｇ／ｍ２〜約３５００ｇ／ｍ２であり、好ましくは約１４００ｇ／ｍ２〜３３００ｇ／ｍ２である。なお、一般的に、厚さ０．２５ｍｍ＝約１８０ｇ／ｍ２の坪量である。
【００６０】
第２の底板３の坪量は、約６００ｇ／ｍ２〜約３５００ｇ／ｍ２であり、好ましくは約１４００ｇ／ｍ２〜約３３００ｇ／ｍ２である。
【００６１】
本発明においては、第１の底板２の坪量と第２の底板３の坪量とはどのような関係であってもよい。すなわち、第１の底板２の坪量が第２の底板３の坪量よりも大きなものであってもよいし、第１の底板２の坪量よりも第２の底板３の坪量が大きいものであってもよいし、第１の底板２の坪量と第２の底板３の坪量とが同等であってもよい。
【００６２】
第１の底板２と第２の底板３とが異なる紙から形成される場合、好ましくは、第１の底板２は、第２の底板３よりも大きな坪量を有する。代表的な実施形態においては、第１の底板２の坪量は約２４００ｇ／ｍ２〜約３０００ｇ／ｍ２であり、第２の底板３の坪量は約１２００ｇ／ｍ２〜約１６００ｇ／ｍ２である。好ましい実施形態において、第１の底板２の坪量は、第２の底板３の坪量の約１．５倍以上であり、より好ましくは約２．０倍以上であり、より好ましくは約２．５倍以上である。
【００６３】
本発明の特に好ましい実施形態においては、第１の底板２の厚さおよび坪量の両方が、第２の底板３の厚さおよび坪量よりもそれぞれ大きい。
【００６４】
本発明の１つの実施形態において、図１Ａ〜Ｄに示すように、長手方向に沿った第１の底板２の厚さおよび／または坪量を大きくすることによって、パレット全体の強度を効率的に高めることができる。すなわち、以下の実施例に示すように、矩形の四方差しパレットにおいては、フォークリフトまたはハンドリフトのアームを差し込むときに、短手方向の辺に対してかかる力よりも、長手方向の辺に対してかかる力のほうが大きい。換言すると、短手方向の辺の強度よりも、長手方向の辺の強度がより必要とされる。これは、長手方向の方がフォークリフトまたはハンドリフトの爪外寸法（フォークリフトまたはハンドリフトの２本の爪をパレットに差し込んだときに、その２本の爪の外に出る部分の寸法）が大きいからである。この点、従来技術のように、パレットの底板を一枚の紙から形成する場合には、長手方向の辺に必要な強度に合わせて底板全体の厚さおよび／または坪量を大きくする必要があった。しかしながら、本発明の好ましい実施形態においては、長手方向に延びる第１の底板２と短手方向に延びる第２の底板３とを組み合わせることによって、従来技術の底板とするため、強度の必要とされない第２の底板３の坪量を小さくし、より強度が必要とされる第１の底板２の坪量を大きくすることができる。
【００６５】
一枚の紙によって底板を形成する従来の四方差しパレットの製造においては、底板の厚さまたは坪量が大きくなると、開口部を打ち抜く処理が容易ではなかった。厚さまたは坪量の大きな紙においては、一般的な装置（例えば、種々の供給源から市販されているロータリーダイカッター）で開口部を打ち抜くことはできないからである。例えば、一般的なロータリーダイカッターでは約２ｍｍ厚程度の厚紙までしか打ち抜くことができず、それより厚い（例えば、一般的に流通している約３ｍｍまたは約４ｍｍの）厚紙については平盤ダイカッター（プラテンダイカッター）を使用する必要がある。さらに、いずれのダイカッターについても切断用刃物の損傷が早いという問題点がある。しかしながら、本発明の底板は、第１の底板も第２の底板も細長い矩形上であるため、単に大きな紙を直線状に切断することによって製造することができ、開口部を打ち抜くような複雑な処理を必要としない。そのため、厚さまたは坪量の大きな紙を底板に用いることが可能である。
【００６６】
（製造方法）
図３Ａ〜Ｃに、本発明の四方差しパレットの代表的な製造方法を示す。図３Ａに示すように、まず上板５に脚部４を接着する。脚部をいくつにするかはパレットのサイズ、用途、および使用されるフォークリフトまたはハンドリフトの種類応じて当業者が適宜決定することができる。
【００６７】
図３Ｂに示すように、図３Ａにおいて上板５に接着された脚部４に、第２の底板３を短手方向に沿って接着する。第２の底板３は、厚紙を切ることによって容易に製造することができる。
【００６８】
図３Ｃに示すように、図３Ｂにおいて脚部４に第２の底板３が接着されたパレットに、さらに第１の底板２を、脚部４に沿って接着する。この第１の底板２の厚さおよび坪量の選択は本発明において重要である。第１に、第１の底板２の厚さだけ、第２の底板３、脚部４および上板５が接地面から離れる。これによって、接地面の水分が第２の底板３、脚部４および上板５に吸収されることを抑制する。
【００６９】
また、上述のとおり、矩形の四方差しパレットにおいては、フォークリフトまたはハンドリフトのアームを差し込むときに、短手方向の辺に対してかかる力よりも、長手方向の辺に対してかかる力のほうが大きい。したがって、パレットのサイズ、用途および使用されるフォークリフトまたはハンドリフトに応じて、第１の底板２の厚さおよび／または坪量を適宜調整することが必要である。
【００７０】
第１の底板２および第２の底板３として、どのような厚さおよび／または坪量の紙を用いるかは当業者が適宜決定することができる。
【００７１】
第１の底板２および第２の底板３は、厚紙を細長い短冊状に切断することによって用意することができる。一般に市販されている厚紙のサイズとしては、１１００ｍｍ×１３５０ｍｍまたは１１５０ｍｍ×１４５０ｍｍが挙げられるが、これらに限定されない。
【００７２】
なお、図３Ａ〜Ｃでは上板５に脚部４を接着し、脚部４に第２の底板３を接着し、そして第２の底板３に第１の底板２を接着したが、接着の順序はどのようなものであってもよい。
【００７３】
例えば、第１の底板２に第２の底板３を接着し、第２の底板３に脚部４を接着し、脚部４に上板５を接着してもよい。あるいは、上板５に脚部４を接着し、別個に第１の底板２に第２の底板３を接着し、最後に脚部４と第２の底板３を接着してもよい。
【００７４】
（上板）
本発明のパレットの上板は、紙製であればどのようなものであってもよいが、当然ながら、載置物が載置された状態でのフォークリフトまたはハンドリフトによる持上げに耐える曲げ強度をパレットに付与するものでなければならない。
【００７５】
紙製パレットの上板としては、補強用のコア構造を上下から紙層で挟んだ構造物が使用されてもよい。
【００７６】
好ましい実施形態において、本発明の四方差しパレットの上板としては、特願２０１５−４３６４７号（参照によりその内容が本明細書に援用される）に記載の紙製ボード構造体（図４Ａに示す上板５）とすることができる。図４Ａの上板５は、３つの紙層（第１の紙層５１、第２の紙層５２および第３の紙層５３）とコア５４とから構成されるボード状構造物である。紙層５１および紙層５２とコア５４とが、紙層５１および紙層５２がコア５４をサンドイッチ様に挟み込むようにそれぞれ接着される。第３の紙層５３は、紙層５１の表面（コア５４との接着面と逆の表面）に接着される。
【００７７】
図４Ａの上板５の製造においては、コア５４への紙層５１および紙層５２のサンドイッチ様接着は、紙層５１をロール状に巻き取ったロール体から紙層５１を送りだし、紙層２をロール状に巻き取ったもう１つのロール体から紙層５２を送りだしながら、コア５４の一方の表面に紙層５１を接着し、かつコア５４のもう一方の表面に紙層５２を接着することにより行われ得る。したがって、この実施形態においては、紙層５１および紙層５２はいずれも巻取可能な巻取紙製品でなければならない。
【００７８】
図４Ａの上板５の特徴は、コア５４を紙層５１および紙層５２でサンドイッチ様に挟んだ構造体を、さらに紙層５３で補強することによって、木材ボードにも匹敵する程度にまで構造体の曲げ強度を高めることができる点にある。より具体的には、例えば紙層５１に紙層５３を接着する場合、紙層５１の厚さと紙層５３の厚さとの和が、紙層５２の厚さよりも大きくなるように、各紙層が選択される。この追加の紙層５３としては、古紙や再生紙など安価な紙を使用することができるので、コストが大きくかかることはない。
【００７９】
図４Ａの上板５のさらなる特徴は、紙層５１として、紙層５２の坪量よりも小さい坪量の紙（好ましくは巻取紙）を用いることにある。コアをサンドイッチ様に２つの紙層で挟んだ構造体を、追加の紙層５３で補強することによって、上板５の全体の曲げ強度を高めるために、紙層５１の坪量を、紙層５２の坪量と同じにするのではなくあえて小さくすることによって、紙層５３を接着することによる上板５の曲げ強度の強まり方が飛躍的に向上する。また、紙層５１として坪量の小さな紙を用いてもよいため、紙層５２と同程度の坪量の紙を用いる場合と比較して、コストが削減できる。実際には、紙層５１として仮留め程度の坪量の紙を用いることができるため、安価に製造することができる。
【００８０】
図４Ａに示す上板５を使用する場合、輸送する対象物を紙層５２側で支持してもよいし、紙層５３側で支持してもよい。本発明を限定するものではないが、上板の一部分を集中的に荷重するような対象物を輸送する場合には、紙層５３側を上にして対象物を支持するのが好ましく、一般的に上板のほぼ全面を平均的に荷重するような対象物をフォークリフトで荷役する場合には、その曲げ荷重は下側に圧縮の力が加わる為紙層５３側を下にして紙層５２で対象物を支持するのが好ましい。
【００８１】
一般的に、輸送用パレットにおいては、パレット上板の下側（フォークリフトまたはハンドリフトのアームによって保持される側）に大きな曲げ強度が要求される。したがって、図４Ａに示す上板５を輸送用パレットとして用いる場合、紙層５３を下側（フォークリフトまたはハンドリフトのアームによって保持される側）にすることによって、効率的に所望の曲げ強度を有する輸送用パレットとすることが可能である。
【００８２】
図４Ｂは、パレット上板において用いられ得るコア５４の具体的構造を示す。図４Ｂは、上板５の第１の紙層５１および第３の紙層５３の一部を取り除いてコア５４の表面を露出させた状態の斜視図である。好ましいコア構造が図４Ｂに示される。図４Ｂにおいて、コア５４は、多数の例えば正弦波の波形が並ぶように整形した紙製芯材５４１と、その片面でその湾曲凸部に接合された紙製ライナ５４２とから構成されるコアユニット５４３を複数段並べて偏平な形状とすることによって形成される。
【００８３】
芯材５４１の形状は、上記のような波形のほか、Ｖ字形、Ｕ字形または台形であってもよい。あるいは、図４Ｃに示すように、コア５４は、六角柱の空間５４４が多数形成されるハニカム形状のコアであってもよい。
【００８４】
（脚部）
本発明の脚部４は、紙製であればどのような形状および構造であってもよい。脚部４は、例えば直方体であっても立方体であっても円柱体であってもよい。脚部４の構造は、上板５のコア５４と同様の構造であってもよい。すなわち、図４Ｂおよび図４Ｃのコア５４を適切な形状にして、脚部４とすることができる。
【００８５】
（接着）
脚部４と、上板５または第２の底板３との接着は、任意の紙用接着剤によって達成することができる。好ましい実施形態においては、段ボール用接着剤が使用される。当業者は、脚部４と、上板５または第２の底板３との接着のために適切な接着剤を容易に選択することができる。代表的な段ボール用接着剤は、例えば、酢酸ビニル樹脂系エマルジョン形接着剤（例えば、コニシ株式会社（日本、大阪市）から市販されているボンドＣＮ−１３５）が挙げられるが、これに限定されない。
【００８６】
脚部４と、上板５または第２の底板３との接着のためには、例えば特願２０１５−４３６４６号（参照によりその内容が本明細書に援用される）に記載の接着技術を用いることができる。
【００８７】
図５Ａは、厚さＨを有する紙製の脚部構成部材５１０を示す。脚部構成部材５１０が種々の構造に組み合わされて脚部４を構成する。好ましい実施形態においては、部材５１０を一点鎖線Ｃに沿って、切断刃５２０によって切断し、その切断面に沿って上板５または第２の底板３とほぼ直角に接着する。切断刃５２０の楔形の刃先が被切断物である脚部構成部材５１０に差し込まれ、切断刃５２０を前進するにつれて、脚部構成部材５１０が刃先の両側に押し広げられながら、切断面５３０を形成する（図５Ｂおよび図５Ｃを参照のこと）。切断面５３０付近の脚部構成部材５１０は、切断刃によって切断される際に紙粉となりにくく、切断後もなお脚部構成部材５１０に残存する。これによって、切断面５３０においては脚部構成部材５１０を構成する繊維が拡がって繊維密度が小さくなり、かつ面積が大きくなる。なお、切断面５３０は、切断によって脚部構成部材５１０に生じた面のみを指すのではなく、切断によって切断前から繊維密度が変化した領域を指すことに留意すべきである。
【００８８】
図５Ａにおいて、一点鎖線Ｃできれいに切断したと仮定した場合の脚部構成部材５１０の断面（つまり、一点鎖線Ｃを含む縦断面）が、本発明における「切断前の仮想の対応面」である。接着面５３０の面積は、この切断前の仮想の対応面よりも大きいことが明確に理解される。
【００８９】
図６Ａに、図５Ａ〜Ｃのように切断刃５２０で切断して得られた脚部構成部材５１０の切断面５３０に、別の紙製の部材５４０（上板５または第２の底板３）を接着する様子を示す。上記のとおり、脚部構成部材５１０の切断面５３０は、切断刃５２０による切断によって、切断前の仮想の対応面よりも広く大きな接着面を確保できることが明らかである。また、切断面５３０の繊維密度は切断前の脚部構成部材５１０の繊維密度よりも小さいため、接着剤が浸透しやすく、かつ絡まりやすい。これにより、脚部構成部材５１０の切断面５３０の面積が、切断前の仮想の対応面よりも広がっていることと相俟って、高い接着強度が実現される。
【００９０】
図６Ｂは、一般的な切断刃によって切断された部材５１０と、その切断面への部材５４０の接着の様子を示す。図６Ａと比較して、一般的な切断刃によって切断された部材５１０の切断面では、接着面が小さく、また切断面およびその近傍の部材５１０において繊維密度に変化がないため、接着剤が切断面で浸透しやすくなっていない。従って、好ましい実施形態の楔形の切断刃によって切断された部材５１０の切断面に比べると、別の紙製の第２部材との接着力が弱い。
【００９１】
図７Ａおよび７Ｂは、上記の好ましい接着方法のための切断刃を示し、図７Ｃおよび７Ｄは一般的な接着方法のための切断刃を示す。図７Ａおよび７Ｂに示す切断刃（クリーンカットソー）は刃の先端が楔形にとがっており、刃先が被切断物に差し込まれ、切断刃が前進するにつれて、被切断物が刃先の両側に押し広げられてゆく。他方、図７Ｃおよび７Ｄに示す一般的な切断刃（チップソー）は、刃先が左右外側向きに傾斜したチップとフラットなチップが並んだものであり、このチップ巾分を削り取って紙粉に変えながら被切断物を切断してゆく。したがって、図７Ａおよび７Ｂの切断刃による切断では、被切断物の切断部分を除去するのではなく、切断部分を解しながら分離することで紙を紙粉に変えることなく切断するのに対して、図７Ｃおよび７Ｄの切断刃による切断では被切断物の切断部分を削り取って紙粉に変えて除去する。
【００９２】
図８Ａおよび図８Ｂに、好ましい切断方法による切断と一般的な切断方法による切断との模式図を示す。図８Ａは、脚部構成部材５１０を、Ｃに沿って本発明による切断刃５２０で切断する様子を示す。楔形の切断刃５２０が、Ｃに沿って脚部構成部材５１０の斜線部分を左右に押し拡げながら切断してゆく。切断刃５２０の刃先が被切断物に差し込まれ、切断刃が前進するにつれて、被切断物が刃先の両側に押し広げられてゆくことが理解される。図８Ｂは、脚部構成部材５１０を、Ｃに沿って一般的な切断刃５２０’で切断する様子を示す。切断刃５２０’は、左右外側向きに傾斜したチップとフラットなチップが並んだものであり、このチップ巾分（図８Ｂの斜線部分）を削り取って紙粉に変えながら被切断物を切断してゆくことが理解される。切断の巾（それぞれ図８Ａおよび図８Ｂの斜線部分）が、図８Ｂのほうが大きいことに留意されたい。
【００９３】
図９Ａは、上記の好ましい切断方法による、被切断物である脚部構成部材の切断面の様子を示し、図９Ｂは、一般的な切断方法による、被切断物である脚部構成部材の切断面の様子を示す。図９Ａおよび図９Ｂに示す写真は、同じ部材を異なる切断刃でそれぞれ切断した結果である。図９Ａおよび図９Ｂを対比すれば明らかなように、図７Ａおよび７Ｂに示す切断刃（クリーンカットソー）による切断によって、図７Ｃおよび７Ｄに示す一般的な切断刃（チップソー）による切断よりも、切断面において繊維が拡がって繊維密度が小さくなり、かつ面積が大きくなっていることが分かる。
【００９４】
図７Ａおよび７Ｂに示す切断刃（クリーンカットソー）による切断によって、脚部構成部材５１０の切断面５３０の繊維密度が切断前の脚部構成部材５１０の繊維密度より小さいため、接着面５３０に接着剤が浸透しやすく、かつ接着剤が繊維に絡みやすくなり、高い接着強度が実現できる。さらに、切断によって脚部構成部材５１０の切断面５３０が、脚部構成部材５１０の切断前の仮想の対応面よりも大きくなるため、広い接着面を確保することができ、高い接着強度が実現できる。
【００９５】
この好ましい楔形の切断刃によればさらに、切断によって部材５１０の切断面５３０が、部材５１０の切断前の仮想の対応面よりも大きくなるため、広い接着面を確保することができ、高い接着強度が実現できる。
【００９６】
好ましい楔形の切断刃を用いた接着は、紙製部材同士の垂直方向の高い接着強度での接着を達成することができるため、本発明の輸送用の紙製パレットのような、高い接着強度で紙製部材同士が接着することが要求される紙製構造体での使用に特に適している。
【００９７】
（防水加工）
本発明のパレットに用いる紙製部材は、防水加工されたものであってもよい。好ましい実施形態においては、本発明の紙製パレットのうち少なくとも第１の底板２は防水加工されている。防水加工された第１の底板２は、防水加工されたシート状の紙を切断して第１の底板２とすることによって得ることもできるし、シート状の紙を切断して第１の底板２とした後にこれを防水加工することによって得ることもできる。
【００９８】
代表的には、防水加工は紙の表面に耐水剤または撥水剤を塗布することによって行うことができるが、これに限定されない。耐水剤または撥水剤としては、紙用の公知の耐水剤または撥水剤を用いることができ、好ましくは段ボール用の公知の耐水剤または撥水剤を用いることができる。
【００９９】
好ましい実施形態においては、防水加工された第１の底板２は、シート状の紙に耐水剤または撥水剤を塗布し、その後所望のサイズに切断することによって製造され得る。好ましい実施形態においては、耐水剤または撥水剤のシート状の紙への塗布は、ローラーを用いて行うことができる。
【０１００】
（他の実施形態）
以上、本発明を、理解の容易のために好ましい実施形態を示して説明してきた。以下に、実施例に基づいて本発明を説明するが、上述の説明および以下の実施例は、例示の目的のみに提供され、本発明を限定する目的で提供したのではない。従って、本発明の範囲は、本明細書に具体的に記載された実施形態にも実施例にも限定されず、特許請求の範囲によってのみ限定される。
【実施例】
【０１０１】
以下のように実施例および比較例のパレットを製造した。
【０１０２】
（実施例１）
株式会社エコボード（日本、岡山）から販売されているエコボード（登録商標）（短手方向８００ｍｍ×長手方向１１５０ｍｍ×高さ２０ｍｍ）を、四方差し用パレット上板５として使用した。なお、当該エコボードは図４Ａに示す構造を有する。
【０１０３】
脚部４として、図４Ｂにコアとして示す構造物を短手方向８６ｍｍ×長手方向１７０ｍｍ×高さ９０ｍｍに成形したものを９個用意した。この脚部を用意するにあたって、図５Ａ〜５Ｃおよび図８Ａ、８Ｂに示す切断技術を用いた。接着剤としては、段ボール用接着剤である酢酸ビニル樹脂系エマルジョン形接着剤を用いた。
【０１０４】
一般的に流通している１１００ｍｍ×１３５０ｍｍの厚紙（厚さ４ｍｍ）を短冊状に切断し、８６ｍｍ×１１００ｍｍの３枚の第１の底板２を用意した。また、一般的に流通している１１００ｍｍ×１３５０ｍｍの厚紙（厚さ２ｍｍ）を短冊状に切断し、１７０ｍｍ×７６０ｍｍの３枚の第２の底板３を用意した。この６つの底板のために用いた厚紙の面積は、約０．６７２ｍ２である（なお、切断時の紙のロスは多少発生することもある）。厚紙において余った部分は他のパレットの底板として利用可能である。
【０１０５】
上記のように用意した上板５、脚部４、第２の底板３、第１の底板２を、図３Ａ〜３Ｃに示すように接着して、本発明の四方差しパレットを製造した。長手方向の脚部と脚部との間の間隔は２９０ｍｍとし、短手方向の脚部と脚部との間の間隔は２５１ｍｍとした（図１０Ａを参照のこと）。
【０１０６】
（比較例）
底板以外は、実施例１と同様に製造した。
【０１０７】
比較例においては、一般的に流通している１１００ｍｍ×１３５０ｍｍの厚紙（厚さ４ｍｍ）を７６０ｍｍ×１１００ｍｍに切断して、底板１３とした。この７６０ｍｍ×１１００ｍｍの底板１３において、２４０ｍｍ×２８０ｍｍの開口部６を４つ打ち抜いて形成した（図１０Ｂを参照のこと）。この４ｍｍの厚紙を打ち抜くためには、木型とロータリーダイカッターという特殊な設備が必要とされる。さらに４ｍｍ以上の厚紙を打ち抜く場合には特に、ロータリーダイカッターの刃物の寿命が短く、これらが製造コストを押し上げることになる。この底板のために用いた厚紙の面積は約０．８４４ｍ２である（打ち抜いた開口部は他に使用することができないため使用したものと考える）。また、このようにパレットを製造すると、１枚の厚紙から１枚の底板しか用意することができないため、実質的には、厚紙全体（１．４８５ｍ２）を使用したこととなる。
【０１０８】
（実施例１と比較例との比較）
上記実施例１の厚紙使用面積（約０．６７２ｍ２）と比較すると、本発明のパレットが厚紙を効率的に利用して底板を用意していることが分かる。
【０１０９】
また、実施例１のパレットは、同じサイズの比較例のパレットと比較して、接地面積が有意に小さい。したがって、パレットへの水分の吸収が、比較例と比べて実施例１のパレットにおいては抑えられ、また防水加工を施す必要のある面積が小さくなる。
【０１１０】
（実施例２）
第２の底板３を、２ｍｍの厚紙を用いて作製した以外は、実施例１と同様に四方差しパレットを製造した。
【０１１１】
（曲げ強度試験）
実施例１、実施例２および比較例の各パレットについて、一点集中荷重時の曲げ強度を広島県東部工業技術センターにおいて試験した。
【０１１２】
その結果、実施例１のパレットと実施例２のパレットと比較例のパレットとでは曲げ強度に有意な差がないことが明らかになった。実施例２では第１の底板２のみが４ｍｍであり、第２の底板３は２ｍｍであったのに対して、実施例１および比較例では底板１３全体が４ｍｍであった点に留意すべきである。この結果から、四方差しパレットの曲げ強度の強化のために、その底板として、長手方向と短手方向で厚さの異なる厚紙を選定することによって、無駄をさらに排除することができることが明らかになった。すなわち、一般にパレットの長手方向に大きな曲げ強度が要求されるため、長手方向に延びる第１の底板２の厚さまたは坪量を増やすことによって、パレット全体として十分な曲げ強度を達成することができる。
【産業上の利用可能性】
【０１１３】
本発明は、貨物積載用の紙製の四方差しパレットの提供において有用である。本発明の紙製パレットはその全てがリサイクル可能であるため、木材資源の使用量を削減することによって環境問題に大きく寄与することができる。
【符号の説明】
【０１１４】
１  四方差しパレット
２  第１の底板
３  第２の底板
４  脚部
５  上板
６  開口部
【要約】      （修正有）【課題】安価な紙製四方差しパレットを提供する。【解決手段】本発明によれば、第１の方向と、該第１の方向と直交する第２の方向とを有する紙製の四方差しパレットであって、該第１の方向に延びる複数の第１の底板２と、該第２の方向に延び、該第１の底板２に接着された複数の第２の底板３と、該第１の底板２と該第２の底板３とが交わる部分において、該第２の底板３に接着された複数の脚部４と、該複数の脚部４に接着された上板５とを備えるパレット１が提供される。【選択図】図１Ａ【図１Ａ】
0005976902.tif 000002
【図１Ｂ】
0005976902.tif 000003
【図１Ｃ】
0005976902.tif 000004
【図１Ｄ】
0005976902.tif 000005
【図２Ａ】
0005976902.tif 000006
【図２Ｂ】
0005976902.tif 000007
【図２Ｃ】
0005976902.tif 000008
【図２Ｄ】
0005976902.tif 000009
【図３Ａ】
0005976902.tif 000010
【図３Ｂ】
0005976902.tif 000011
【図３Ｃ】
0005976902.tif 000012
【図４Ａ】
0005976902.tif 000013
【図４Ｂ】
0005976902.tif 000014
【図４Ｃ】
0005976902.tif 000015
【図５Ａ】
0005976902.tif 000016
【図５Ｂ】
0005976902.tif 000017
【図５Ｃ】
0005976902.tif 000018
【図６Ａ】
0005976902.tif 000019
【図６Ｂ】
0005976902.tif 000020
【図７Ａ】
0005976902.tif 000021
【図７Ｂ】
0005976902.tif 000022
【図７Ｃ】
0005976902.tif 000023
【図７Ｄ】
0005976902.tif 000024
【図８Ａ】
0005976902.tif 000025
【図８Ｂ】
0005976902.tif 000026
【図９Ａ】
0005976902.tif 000027
【図９Ｂ】
0005976902.tif 000028
【図１０Ａ】
0005976902.tif 000029
【図１０Ｂ】
0005976902.tif 000030